(57)【要約】【課題】ドキュメントフィーダを覆うためのカバーを設けた場合であっても、ドキュメントフィーダの浮き上がりを防止しつつドキュメントフィーダを開け始める際にユーザに掛かる力を補助する。【解決手段】スキャナ３から離れる方向へトルクを生じさせるヒンジによってスキャナ３の端部に一端が接合され、かつ、スキャナ３に対して開閉可能なフィーダ４と、ヒンジによって一端が前記端部に接合されかつフィーダ４に対して開閉可能なトレイカバー５を有する読取ユニットにおいて、フィーダ４およびトレイカバー５がともに閉じた状態からフィーダ４が開き始めた後、スキャナ３とフィーダ４との角度が所定の角度になるまでは、フィーダ４だけがスキャナ３に対して移動するように、フィーダ４とトレイカバー５との間に空間Ｓ１を設ける。【選択図】図５
2019201320.tif 000002
【特許請求の範囲】
【請求項１】
上面にプラテンガラスおよびスリットガラスを有し、前記プラテンガラスにセットされた第一の用紙または前記スリットガラスを通過する第二の用紙から画像を読み取るスキャナと、
前記スキャナの前記上面の第一の端部に、前記スキャナから離れる方向へトルクを生じさせる第一のヒンジによって一端が接合され、かつ、前記プラテンガラスおよび前記スリットガラスに対して開閉可能に設けられた、前記スリットガラスへ前記第二の用紙を搬送するドキュメントフィーダと、
前記ドキュメントフィーダを使用しないときに前記ドキュメントフィーダの中を隠すための、前記第一の端部に第二のヒンジによって一端が接合されかつ前記ドキュメントフィーダに対して開閉可能に設けられたカバーと、
を有し、
前記ドキュメントフィーダおよび前記カバーがともに閉じている状態から前記ドキュメントフィーダが開き始めた後、前記スキャナの前記上面と前記ドキュメントフィーダの下面との角度が所定の角度になるまでは、前記ドキュメントフィーダだけが前記スキャナに対して移動するように、前記ドキュメントフィーダと前記カバーとの間に空間が設けられている、
ことを特徴とする画像読取ユニット。
【請求項２】
前記ドキュメントフィーダに、前記ドキュメントフィーダが開き始めた後、前記カバーと前記ドキュメントフィーダとの距離を一定の長さに保つために前記カバーを押し上げる押上手段、が設けられる、
請求項１に記載の画像読取ユニット。
【請求項３】
前記押上手段は、前記カバーに押し当てられる押当部材と、前記押当部材を前記カバーへ押し出す弾性部材と、を有する、
請求項２に記載の画像読取ユニット。
【請求項４】
前記スキャナの前記上面の、前記第一の端部に対向する第二の端部に、第一のマグネットが設けられ、
前記押当部材に、前記ドキュメントフィーダおよび前記カバーがともに閉じている状態のときに前記第一のマグネットに引き付けられる第二のマグネットが設けられている、
請求項３に記載の画像読取ユニット。
【請求項５】
前記カバーに、前記ドキュメントフィーダが開き始めた後、前記カバーと前記ドキュメントフィーダとの距離を一定の長さに保つために前記ドキュメントフィーダを押し下げる押下手段、が設けられる、
請求項１に記載の画像読取ユニット。
【請求項６】
前記押下手段は、前記ドキュメントフィーダに押し当てられる押当部材と、前記押当部材が前記ドキュメントフィーダに当たった後、前記距離が前記長さになるまで前記押当部材を前記ドキュメントフィーダへ向かって移動させる機構と、を有する、
請求項５に記載の画像読取ユニット。
【請求項７】
前記機構は、前記第一の端部に平行に前記押当部材を通る円柱上の軸と、前記押当部材の下面に接しかつ前記距離が前記長さになったら前記押当部材が前記軸を中心に回転するのを停止させるガイド部材と、を有する、
請求項６に記載の画像読取ユニット。
【請求項８】
前記ドキュメントフィーダの、前記押当部材が接する位置に第一のマグネットが設けられ、
前記押当部材の、前記ドキュメントフィーダが接する位置に、前記第一のマグネットに引き付けられる第二のマグネットが設けられる、
請求項７に記載の画像読取ユニット。
【請求項９】
上面にプラテンガラスおよびスリットガラスを有し、前記プラテンガラスにセットされた第一の用紙または前記スリットガラスを通過する第二の用紙から画像を読み取るスキャナのために用いられる用紙搬送ユニットであって、
前記スキャナの前記上面の第一の端部に、前記スキャナから離れる方向へトルクを生じさせる第一のヒンジによって一端が接合され、かつ、前記プラテンガラスおよび前記スリットガラスに対して開閉可能に設けられることによって使用される、前記スリットガラスへ前記第二の用紙を搬送するドキュメントフィーダと、
前記ドキュメントフィーダを使用しないときに前記ドキュメントフィーダの中を隠すための、前記第一の端部に第二のヒンジによって一端が接合されかつ前記ドキュメントフィーダに対して開閉可能に設けられて使用されるカバーと、
を有し、
前記ドキュメントフィーダおよび前記カバーがともに閉じている状態から前記ドキュメントフィーダが開き始めた後、前記スキャナの前記上面と前記ドキュメントフィーダの下面との角度が所定の角度になるまでは、前記ドキュメントフィーダだけが前記スキャナに対して移動するように、前記ドキュメントフィーダと前記カバーとの間に空間が設けられている、
ことを特徴とする用紙搬送ユニット。
【発明の詳細な説明】
【技術分野】
【０００１】
本発明は、原稿をスキャナへ送るドキュメントフィーダの技術に関する。
【背景技術】
【０００２】
コピー、スキャン、ファックス、およびドキュメントサーバなどの様々な機能を備えた画像形成装置が普及している。このような画像形成装置は「複合機」または「ＭＦＰ（Multi Function Peripherals）」と呼ばれることがある。
【０００３】
画像形成装置には、ドキュメントフィーダが搭載されていることがある。ドキュメントフィーダは、「ＡＤＦ（Auto Document Feeder）」または「原稿搬送装置」などと呼ばれることがある。
【０００４】
ドキュメントフィーダは、特許文献１に記載されるように、画像形成装置のスキャナのプラテンガラスの上方に搭載されることが多い。
【０００５】
ドキュメントフィーダの背面側の端部とスキャナの背面側の端部とがヒンジによって接合される。ユーザは、プラテンガラスに原稿の用紙をセットする際に、ドキュメントフィーダの正面側の端部を持ち上げることによってドキュメントフィーダを開ける。持ち上げるのを補助するために、ヒンジには、コイルバネなどの付勢機構が設けられている。ヒンジとして例えばトルクヒンジが用いられる。
【先行技術文献】
【特許文献】
【０００６】
【特許文献１】特開平７−２３９５１５号公報
【発明の概要】
【発明が解決しようとする課題】
【０００７】
ところで、ドキュメントフィーダには給紙トレイが設けられており、常時、給紙トレイが見える状態である。画像形成装置の外観をよくするためには、給紙トレイの上部を覆うカバーを設けることが望ましい。カバーは、背面側の端部がスキャナの背面側の端部とヒンジによって接合される。
【０００８】
給紙トレイに用紙をセットする場合は、ユーザは、カバーの正面側の端部を持ち上げることによってカバーを開ける。
【０００９】
プラテンガラスに用紙をセットする場合は、上述の通り、ユーザは、ドキュメントフィーダを正面側の端部に手を掛けて持ち上げることによってドキュメントフィーダを開ける。カバーが閉じていれば、ドキュメントフィーダを持ち上げる際にカバーも一緒に持ち上げられる。カバーが開いていれば、ドキュメントフィーダだけが持ち上げられる。
【００１０】
つまり、ドキュメントフィーダに上述のようにカバーを設けると、ユーザがドキュメントフィーダを開け始める際に、カバーの重量がドキュメントフィーダに掛かる場合と掛からない場合とがある。カバーの重量がドキュメントフィーダに掛かる場合であってもユーザが従来と同じくらいの力つまりカバーが設けられていないときと同じくらいの力でドキュメントフィーダを開け始めることができるようにするには、ヒンジのトルクを従来よりも強くする必要がある。
【００１１】
しかし、そうすると、ドキュメントフィーダが閉じているがカバーが開いている状態であるときに、カバーの重量がドキュメントフィーダに掛からないので、ヒンジのトルクによってドキュメントフィーダが従来よりも浮き上がりやすくなってしまう。浮き上がったままドキュメントフィーダを使用すると、スキャナへの用紙の搬送の不良またはスキャナによる画像の読取りの不良が生じるおそれがある。
【００１２】
本発明は、このような問題に鑑み、ドキュメントフィーダを覆うためのカバーを設けた場合であっても、ドキュメントフィーダの浮き上がりを防止しつつドキュメントフィーダを開け始める際にユーザに掛かる力を補助できるようにすることを、目的とする。
【課題を解決するための手段】
【００１３】
本発明の一形態に係る画像読取ユニットは、上面にプラテンガラスおよびスリットガラスを有し、前記プラテンガラスにセットされた第一の用紙または前記スリットガラスを通過する第二の用紙から画像を読み取るスキャナと、前記スキャナの前記上面の第一の端部に、前記スキャナから離れる方向へトルクを生じさせる第一のヒンジによって一端が接合され、かつ、前記プラテンガラスおよび前記スリットガラスに対して開閉可能に設けられた、前記スリットガラスへ前記第二の用紙を搬送するドキュメントフィーダと、前記ドキュメントフィーダを使用しないときに前記ドキュメントフィーダの中を隠すための、前記第一の端部に第二のヒンジによって一端が接合されかつ前記ドキュメントフィーダに対して開閉可能に設けられたカバーと、を有し、前記ドキュメントフィーダおよび前記カバーがともに閉じている状態から前記ドキュメントフィーダが開き始めた後、前記スキャナの前記上面と前記ドキュメントフィーダの下面との角度が所定の角度になるまでは、前記ドキュメントフィーダだけが前記スキャナに対して移動するように、前記ドキュメントフィーダと前記カバーとの間に空間が設けられている。
【発明の効果】
【００１４】
本発明によると、ドキュメントフィーダを覆うためのカバーを設けた場合であっても、ドキュメントフィーダの浮き上がりを防止しつつドキュメントフィーダを開け始める際にユーザに掛かる力を補助することができる。
【図面の簡単な説明】
【００１５】
【図１】ドキュメントフィーダおよびトレイカバーが閉じた状態における画像形成装置１の外観の例を示す図である。
【図２】Ａ−Ａ線を断面線とするスキャナ、ドキュメントフィーダ、およびトレイカバーの概略断面図である。
【図３】ドキュメントフィーダが開いた状態における画像形成装置の外観の例を示す図である。
【図４】ドキュメントフィーダが閉じかつトレイカバーが開いた状態における画像形成装置の外観の例を示す図である。
【図５】スキャナ、ドキュメントフィーダ、およびトレイカバーの位置関係の変化を説明するための、Ａ−Ａ線を断面線とする概略断面図である。
【図６】スキャナ、ドキュメントフィーダ、およびトレイカバーの右側面図である。
【図７】ドキュメントフィーダが閉じかつトレイカバーが開いた状態における画像形成装置の外観の変形例を示す図である。
【図８】スキャナ、ドキュメントフィーダ、およびトレイカバーの位置関係の変化を説明するための、Ｂ−Ｂ線を断面線とする概略断面図である。
【図９】ドキュメントフィーダが開いた状態における画像形成装置の外観の変形例を示す図である。
【図１０】ドキュメントフィーダが閉じかつトレイカバーが開いた状態における画像形成装置の外観の変形例を示す図である
【図１１】スキャナ、ドキュメントフィーダ、およびトレイカバーの位置関係を説明するための、Ｂ−Ｂ線に沿う概略断面図である。
【図１２】ピンおよび孔のの例を示す図である。
【図１３】スキャナ、ドキュメントフィーダ、およびトレイカバーの位置関係の変化を説明するための、Ｂ−Ｂ線に沿う概略断面図である。
【発明を実施するための形態】
【００１６】
図１は、ドキュメントフィーダ４およびトレイカバー５が閉じた状態における画像形成装置１の外観の例を示す図である。図２は、Ａ−Ａ線を断面線とするスキャナ３、ドキュメントフィーダ４、およびトレイカバー５の概略断面図である。図３は、ドキュメントフィーダ４が開いた状態における画像形成装置１の外観の例を示す図である。図４は、ドキュメントフィーダ４が閉じかつトレイカバー５が開いた状態における画像形成装置１の外観の例を示す図である。図５は、スキャナ３、ドキュメントフィーダ４、およびトレイカバー５の位置関係の変化を説明するための、Ａ−Ａ線を断面線とする概略断面図である。図６は、スキャナ３、ドキュメントフィーダ４、およびトレイカバー５の右側面図である。
【００１７】
図１に示す画像形成装置１は、一般に「ＭＦＰ（Multi Function Peripherals）」または「複合機」などと呼ばれる装置であって、コピー、ＰＣプリント、ファクシミリ、スキャン、およびドキュメントサーバなどの機能を集約した装置である。
【００１８】
画像形成装置１は、プリンタ２、スキャナ３、ドキュメントフィーダ４、トレイカバー５、およびタッチパネルディスプレイ６などによって構成される。
【００１９】
プリンタ２およびスキャナ３は一体的に構成されており、画像形成装置１の本体１０を成している。本体１０の下部がプリンタ２であり、上部がスキャナ３である。
【００２０】
タッチパネルディスプレイ６は、本体１０の側面に設けられており、画面を表示したり画像形成装置１に対してユーザがデータまたはコマンドを入力したりするための装置である。以下、画像形成装置１の、タッチパネルディスプレイ６が設けられている側を「正面」と記載し、正面の反対側を「背面」と記載する。
【００２１】
プリンタ２は、スキャナ３によって読み取られた画像を用紙に印刷する。また、他の装置から送信されてきた画像データまたはストレージに保存されている画像データに基づいて画像を用紙に印刷する。プリンタ２として、ページプリンタまたはインクジェットプリンタなどが用いられる。
【００２２】
スキャナ３は、図２に示すようにプラテンガラス３１、スリットガラス３２、および原稿読取部３３などによって構成される。
【００２３】
プラテンガラス３１は、本体１０の上面のほぼ全体に設けられており、原稿の用紙がセットされる。スリットガラス３２は、本体１０の上面に、プラテンガラス３１の横に並んで設けられている。
【００２４】
原稿読取部３３は、プラテンガラス３１にセットされた用紙に記されている画像を読み取って画像データを生成する。
【００２５】
さらに、原稿読取部３３は、ドキュメントフィーダ４によって搬送されてきた用紙がスリットガラス３２を通過する際に、この用紙に記されている画像を読み取って画像データを生成する。
【００２６】
ドキュメントフィーダ４は、ＡＤＦ（Auto Document Feeder）であって、給紙トレイ４１、搬送機構４２、排紙トレイ４３、マット４４、およびフィーダカバー４５などによって構成される。
【００２７】
ドキュメントフィーダ４は、図３に示すように、本体１０の上面の、背面側の端部３７に複数のヒンジ４７などによって、本体１０の上面に対してドアのように開閉するように取り付けられている。ユーザは、ドキュメントフィーダ４の、正面側の端部を掴んでドキュメントフィーダ４を上げ下げすることによって、ドキュメントフィーダ４を開閉する。
【００２８】
ヒンジ４７は、ドキュメントフィーダ４の下面とスキャナ３の上面との角度Ｒａが所定の角度Ｒになるまでドキュメントフィーダ４が開くように調整されている。所定の角度Ｒ０は、例えば、６０度である。
【００２９】
トレイカバー５は、ドキュメントフィーダ４を使用しないときに給紙トレイ４１を隠すためのカバーである。トレイカバー５は、端部３７に複数のヒンジ５７などによって、ドキュメントフィーダ４に対してドアのように開閉するように取り付けられている。ユーザは、トレイカバー５の、正面側の端部を掴んでトレイカバー５を上げ下げすることによって、トレイカバー５を開閉する。
【００３０】
ヒンジ５７は、トレイカバー５の上面とスキャナ３の上面との角度Ｒｂが所定の角度Ｒ０になるまでトレイカバー５が開くように調整されている。
【００３１】
ユーザは、プラテンガラス３１に用紙をセットして画像を読み取らせる場合は、図３に示すようにドキュメントフィーダ４を開ける。図１に示すようにトレイカバー５が閉じた状態でドキュメントフィーダ４を開けると、トレイカバー５がドキュメントフィーダ４とともに移動する。そして、用紙をセットしたら、ドキュメントフィーダ４を閉じ、所定のコマンド（例えば、コピーの開始のコマンド）をタッチパネルディスプレイ６に入力する。なお、ドキュメントフィーダ４が閉じられると、用紙がマット４４によって押圧され固定される。
【００３２】
原稿読取部３３は、所定のコマンドが入力されると、セットされた用紙から画像を読み取って画像データを生成する。ユーザは、画像の読取りが完了したら、再びドキュメントフィーダ４を開け、用紙を取り、ドキュメントフィーダ４を閉める。
【００３３】
または、ユーザは、給紙トレイ４１に用紙をセットして画像を読み取らせる場合は、図４に示すようにドキュメントフィーダ４を閉じた状態でトレイカバー５を開ける。そして、給紙トレイ４１に用紙をセットしたら、所定のコマンドをタッチパネルディスプレイ６に入力する。
【００３４】
すると、搬送機構４２は、セットされた用紙を１枚ずつ、スリットガラス３２へ搬送し、さらに排紙トレイ４３へ搬送する。なお、搬送機構４２は、フィーダカバー４５によって上方が覆われている。
【００３５】
原稿読取部３３は、スリットガラス３２を用紙が通過するごとに、用紙から画像を読み取って画像データを生成する。ユーザは、排紙トレイ４３に排出された用紙を取り、トレイカバー５を閉める。
【００３６】
ところで、複数のヒンジ４７のうちの少なくとも１つは、スプリングなどの付勢機構を有するトルクヒンジが用いられる。付勢機構は、スキャナ３に対してドキュメントフィーダ４を開く方向へ、ドキュメントフィーダ４を付勢している。
【００３７】
したがって、付勢機構は、ドキュメントフィーダ４を開ける際にユーザがドキュメントフィーダ４を持ち上げる力を軽減する。つまり、ドキュメントフィーダ４をユーザが開けるのを補助する。
【００３８】
同様に、複数のヒンジ５７のうちの少なくとも１つは、スプリングなどの付勢機構を有している。付勢機構は、ドキュメントフィーダ４に対してトレイカバー５を開く方向へ、トレイカバー５を付勢している。
【００３９】
したがって、付勢機構は、トレイカバー５を開ける際にユーザがトレイカバー５を持ち上げる力を軽減する。つまり、トレイカバー５をユーザが開けるのを補助する。また、トレイカバー５が閉じた状態でドキュメントフィーダ４を開ける際にも、ユーザを補助する。
【００４０】
上述の通り、ユーザは、トレイカバー５が図１に示すように閉じているときにドキュメントフィーダ４を図３に示すように開けることができる。この際に、トレイカバー５は、ドキュメントフィーダ４とともに移動する。
【００４１】
図１に示したようにドキュメントフィーダ４およびトレイカバー５がともに閉じた状態にあるときに、ドキュメントフィーダ４とトレイカバー５との間には、図５（Ａ）に示すように空間Ｓ１がある。また、このときに、トレイカバー５は、ドキュメントフィーダ４のフィーダカバー４５の右側の側面にのみ接する。または、１ミリメートル程度の隙間がある。
【００４２】
よって、ドキュメントフィーダ４が開けられ始めると、図５（Ｂ）のように排紙トレイ４３がトレイカバー５に接するまでの間は、スキャナ３に対してドキュメントフィーダ４のみが移動し、トレイカバー５は移動しない。この間、ユーザは、ヒンジ４７の付勢機構に補助される。
【００４３】
排紙トレイ４３がトレイカバー５に接した後、トレイカバー５は、ドキュメントフィーダ４とともにスキャナ３に対して移動し始める。すると、ユーザは、さらに、ヒンジ５７の付勢機構に補助される。
【００４４】
ヒンジ４７は、排紙トレイ４３がトレイカバー５に接する際に接していない間よりもトルクが大きくなるように調整されているのが、望ましい。例えば、排紙トレイ４３がトレイカバー５に接する際の角度Ｒａが２度ならば、角度Ｒａが２度未満であるときのトルクよりも角度Ｒａが２度のときのトルクのほうが大きくなるようにヒンジ４７が調整されているのが望ましい。
【００４５】
ところで、ドキュメントフィーダ４およびトレイカバー５が一緒に移動している間、空間Ｓ１が埋まるので、図６（Ａ）に示すように、ドキュメントフィーダ４の上面とトレイカバー５の上面とにズレが生じる。その後、ドキュメントフィーダ４およびトレイカバー５が完全に移動し終わった状態になると、図６（Ｂ）に示すように、トレイカバー５の上面およびトレイカバー５の上面が揃う。つまり、これらの上面の段差がなくなる。
【００４６】
より確実に段差をなくすために、角度Ｒｂが所定の角度Ｒ０に近くなったときにトルクが大きくなるようにヒンジ５７が調整されていてもよい。例えば、所定の角度Ｒ０が６０度ならば、角度Ｒｂが５０度であるときのトルクが５０未満であるときのトルクよりも大きくなるようにヒンジ５７が調整されていてもよい。角度Ｒｂが５０度以上のときのトルクが、ユーザが力を加えなくてもトレイカバー５が開く強さであるのが望ましい。
【００４７】
本実施形態によると、トレイカバー５を画像形成装置１に設けた場合であっても、ドキュメントフィーダ４の浮き上がりを防止しつつドキュメントフィーダ４を開け始める際にユーザに掛かる力を補助することができる。
【００４８】
〔第一の変形例〕
図７は、ドキュメントフィーダ４が閉じかつトレイカバー５が開いた状態における画像形成装置１の外観の変形例を示す図である。図８は、スキャナ３、ドキュメントフィーダ４、およびトレイカバー５の位置関係の変化を説明するための、Ｂ−Ｂ線を断面線とする概略断面図である。図９は、ドキュメントフィーダ４が開いた状態における画像形成装置１の外観の変形例を示す図である。
【００４９】
上述の実施形態では、ドキュメントフィーダ４およびトレイカバー５の両方が、図１のように両方が閉じた状態から持ち上げられると、図６（Ａ）に示したようにドキュメントフィーダ４の上面およびトレイカバー５の上面に途中で段差が生じる。そして、両方が完全に移動し終わると図６（Ｂ）のように段差がなくなる。つまり、両者との間に段差ができたりなくなったりするので、ユーザが両者の隙間に指を詰めてしまうおそれがある。
【００５０】
そこで、第一の変形例および第二の変形例では、段差を生じにくくするための工夫がなされている。
【００５１】
ドキュメントフィーダ４の排紙トレイ４３には、図７または図８に示すように押当部４Ａが正面側の端部４８に設けられている。押当部４Ａは、押当部材４Ａ１、マグネット４Ａ２、および１つまたは複数の弾性部材４Ａ３などによって構成される。
【００５２】
さらに、図８または図９に示すように、スキャナ３の上面の端部３８の、ドキュメントフィーダ４が閉じている状態のときにマグネット４Ａ２に向かい合う位置に、マグネット３Ａが設けられている。
【００５３】
マグネット４Ａ２およびマグネット３Ａは、磁力によって互いに引き付け合う。つまり、対向するそれぞれの極のうちの一方がＮ極であり他方がＳ極である。マグネット４Ａ２およびマグネット３Ａは、１組であってもよいし複数組であってもよい。弾性部材４Ａ３として、コイルバネが用いられる。
【００５４】
ドキュメントフィーダ４およびトレイカバー５が閉じている状態であるときは（図１参照）、マグネット４Ａ２およびマグネット３Ａの磁力によって弾性部材４Ａ３が縮み、図８（Ａ）に示すように、押当部４Ａがトレイカバー５から離れている。
【００５５】
ドキュメントフィーダ４が開けられ始めると、マグネット４Ａ２およびマグネット３Ａが引き付け合う力が徐々に弱くなり、弾性部材４Ａ３が伸び始め、押当部材４Ａ１がトレイカバー５に接する。押当部材４Ａ１がトレイカバー５に接するまでは、スキャナ３に対してドキュメントフィーダ４のみが移動し、トレイカバー５は移動しない。
【００５６】
押当部材４Ａ１がトレイカバー５に接した後、トレイカバー５は、図８（Ｂ）に示すように押当部材４Ａ１に押し上げられながらドキュメントフィーダ４とともにスキャナ３に対して移動し始める。そして、移動し終わり、図３に示したような状態になる。なお、弾性部材４Ａ３は、移動中にドキュメントフィーダ４の上面とトレイカバー５の上面とに段差が生じないように弾力が予め調整されている。
【００５７】
本変形例では、ドキュメントフィーダ４が閉じているときは押当部材４Ａ１をマグネット４Ａ２によってトレイカバー５から離した。ドキュメントフィーダ４を開く際は、押当部材４Ａ１を弾性部材４Ａ３によってトレイカバー５へ押し当てた。しかし、押当部材４Ａ１を上下に移動させるシリンダをマグネット４Ａ２および弾性部材４Ａ３の代わりに設け、シリンダを電気で制御することによって押当部材４Ａ１をトレイカバー５から離したりトレイカバー５に押し当てたりしてもよい。
【００５８】
〔第二の変形例〕
図１０は、ドキュメントフィーダ４が閉じかつトレイカバー５が開いた状態における画像形成装置１の外観の変形例を示す図である。図１１は、スキャナ３、ドキュメントフィーダ４、およびトレイカバー５の位置関係を説明するための、Ｂ−Ｂ線に沿う概略断面図である。図１２は、ピン５Ｃおよび孔５Ｄの例を示す図である。図１３は、スキャナ３、ドキュメントフィーダ４、およびトレイカバー５の位置関係の変化を説明するための、Ｂ−Ｂ線に沿う概略断面図である。
【００５９】
第一の変形例では、段差を生じにくくするための仕組みをスキャナ３およびドキュメントフィーダ４に設けたが、第二の変形例ではドキュメントフィーダ４およびトレイカバー５に設ける。
【００６０】
トレイカバー５には、図１０または図１１に示すように、押当部５Ｂおよび複数のピン５Ｃが設けられている。
【００６１】
ピン５Ｃは、Ｌ字型のピンである。トレイカバー５の正面の壁には、図１２（Ａ）のように、内面から下面へ貫通するように孔５ＤがＬ字型に開いている。ピン５Ｃが複数ある場合は、ピン５Ｃの個数分、孔５Ｄが開いている。ピン５Ｃは、図１２（Ｂ）のように、この孔５Ｄに嵌め込まれている。ピン５Ｃは、孔５Ｄに嵌ったまま上下に移動することができる。
【００６２】
押当部５Ｂは、押当部材５Ｂ１、マグネット５Ｂ２、および回転軸部材５Ｂ３などによって構成される。
【００６３】
押当部材５Ｂ１は、左右方向に長い直方体の部材である。押当部材５Ｂ１の下面には、マグネット５Ｂ２が１つまたは複数、埋め込まれている。左右方向に長いマグネット５Ｂ２を埋め込んでもよい。押当部材５Ｂ１は、ピン５Ｃの頭の上に載せられている。
【００６４】
さらに、押当部材５Ｂ１には、右側から左側へ円柱形の穴が設けられており、この穴に回転軸部材５Ｂ３が差し込まれている。また、トレイカバー５の右側の壁の内側には穴が設けられており、回転軸部材５Ｂ３の右端がこの穴に差し込まれている。回転軸部材５Ｂ３は、直径が、この穴の直径よりも若干短い、円柱形の部材である。押当部材５Ｂ１は、回転軸部材５Ｂ３の周りを回転することができる。
【００６５】
また、ドキュメントフィーダ４の排紙トレイ４３には、トレイカバー５が閉じている状態のときにマグネット５Ｂ２に向かい合う位置に、マグネット４Ｂが設けられている。
【００６６】
マグネット４Ｂおよびマグネット５Ｂ２は、磁力によって互いに引き付け合う。つまり、対向するそれぞれの極のうちの一方がＮ極であり他方がＳ極である。
【００６７】
ドキュメントフィーダ４およびトレイカバー５が閉じている状態であるときは（図１参照）、図１１のようにピン５Ｃの足がスキャナ３の上面に接している。マグネット４Ｂとマグネット５Ｂ２とが互いに引き付け合うが、排紙トレイ４３の重さによって、一定の距離が保たれている。
【００６８】
ドキュメントフィーダ４が開けられ始めると、マグネット４Ｂとマグネット５Ｂ２とが徐々に接近し、図１３（Ａ）のように接触する。このとき、マグネット４Ｂとマグネット５Ｂ２との引き付け合う力が徐々に強くなる。
【００６９】
接触後、ピン５Ｃがトレイカバー５に対して下の方向へ移動するとともに、押当部材５Ｂ１がトレイカバー５に接近する。そして、図１３（Ｂ）のように、押当部材５Ｂ１がトレイカバー５に接触する。
【００７０】
さらに、トレイカバー５に対してドキュメントフィーダ４が押当部材５Ｂ１によって押し下げられる。
【００７１】
ピン５Ｃが図１３（Ｃ）のようにトレイカバー５に対して最も下に位置するときに、ドキュメントフィーダ４の上面とトレイカバー５の上面とに段差が生じないように押当部材４Ａ１の形状および大きさが予め調整されている。
【００７２】
トレイカバー５は、押当部材５Ｂ１に接触した後、押当部材５Ｂ１を介してドキュメントフィーダ４とともに移動する。そして、図１３（Ｃ）のような、ドキュメントフィーダ４との位置関係を保ったまま、図３に示したような状態になるまで移動し続ける。
【００７３】
その他、画像形成装置１、スキャナ３、ドキュメントフィーダ４、トレイカバー５の全体または各部の構成は、本発明の趣旨に沿って適宜変更することができる。
【符号の説明】
【００７４】
１  画像形成装置
３  スキャナ
３１  プラテンガラス
３２  スリットガラス
３７  端部（第一の端部）
３８  端部（第二の端部）
３Ａ  マグネット（第一のマグネット）
４  ドキュメントフィーダ
４７  ヒンジ（第一のヒンジ）
４Ａ  押当部（押上手段）
４Ａ１  押当部材
４Ａ２  マグネット（第二のマグネット）
４Ａ３  弾性部材
４Ｂ  マグネット（第一のマグネット）
５  トレイカバー（カバー）
５７  ヒンジ（第二のヒンジ）
５Ｂ  押当部（押下手段）
５Ｂ１  押当部材
５Ｂ２  マグネット（第二のマグネット）
５Ｂ３  回転軸部材（機構）
５Ｃ  ピン（ガイド部材）
Ｓ１  空間
【図１】
2019201320.tif 000003
【図２】
2019201320.tif 000004
【図３】
2019201320.tif 000005
【図４】
2019201320.tif 000006
【図５】
2019201320.tif 000007
【図６】
2019201320.tif 000008
【図７】
2019201320.tif 000009
【図８】
2019201320.tif 000010
【図９】
2019201320.tif 000011
【図１０】
2019201320.tif 000012
【図１１】
2019201320.tif 000013
【図１２】
2019201320.tif 000014
【図１３】
2019201320.tif 000015